(57)【要約】本発明は爪楊枝に関するもので、爪楊枝を使うことにおいて、歯茎を傷めず歯間をほじくることができるようにするとともに、歯間につまった食物の糟（かす）が効果的に除去できるようにしたものである。  即ち、本発明は爪楊枝において、一側に本体の太さより細長くなって歯間に差し込めるようにした細い歯間掃除部を設け、反対側に本体と同じ太さの引出部を持つ太い歯間掃除部を設けたものである。  従って、本発明は爪楊枝の一側に細長めの歯間掃除部を設けることにより、歯間をほじくる過程にあって歯茎の損傷が防止され、細い歯間掃除部が細長くなって歯間に十分に差し込まれて歯間につまった食物の糟が容易に除去でき、細い歯間掃除部の反対側には引出部を持つ太い歯間掃除部を設けることにより歯間の広いところにつまった食物の糟が効果的に除去できるのである。【選択図】図１
2011520546.tif 000002
【特許請求の範囲】
【請求項１】
爪楊枝において、
本体（１１０）の一側に本体（１１０）の太さより細長くなって歯間に差し込めるようにした細い歯間掃除部（１２０）を設け、
反対側の端部に本体（１１０）と同じ太さの引出部（１３１）を持つ太い歯間掃除部（１３０）を設け、
上記細い歯間掃除部（１２０）は、太さ１．５〜３ｍｍの本体（１１０）より細い０．５〜１ｍｍの太さで設けられ、全体長さ５〜８ｃｍの爪楊枝の２５〜６０％の長さを持つ細い棒体部（１２１）と、上記細い棒体部（１２１）の端部に歯間へ容易に挿入できるよう尖って設けた細い先端部（１２２）で構成され、
上記太い歯間掃除部（１３０）は、歯間の間隔が広くて食物の糟がつまった場合、これが除去できるよう端部の内側へ外面に凹状に形成した引出部（１３１）を設け、上記引出部（１３１）から端部に向けて尖って形成した太い先端部（１３２）を設けたことを特徴とする
爪楊枝。
【請求項２】
上記爪楊枝は、その使用過程においてつばの水分によりその柔軟性が増大されるよう、木材の中で水分吸収によって柔軟性を持つ白樺で形成され、
細い歯間掃除部（１２０）に口臭除去剤を具備した口臭除去部（１４０）が形成されたことを特徴とする
請求項１記載の爪楊枝。
【発明の詳細な説明】
【技術分野】
【０００１】
本発明は爪楊枝に関するもので、さらに詳しくは爪楊枝において、一側に本体の太さより細長くなって歯間に差し込めるようにした細い歯間掃除部を設け、反対側に本体と同じ太さの引出部を持つ太い歯間掃除部を設けて、歯間をほじくる時に歯茎を傷めず歯間をほじくることができるようにするとともに、歯間につまった食物の糟（かす）が効果的に除去できるようにすることを目的とするのである。
【背景技術】
【０００２】
一般的に、爪楊枝は食事の後、歯間につまった食物の糟が除去できるようにしたものである。  
上記のような爪楊枝（２００）は、図３に示すように、木材を長さ５〜８ｃｍの棒状本体を設け、本体の両端に尖って加工した歯間掃除部（２１０）を設けて構成するもので、通常本体の太さが１．５〜３ｍｍに形成されるものである。  
以上のような従来の爪楊枝（２００）は、その両端に設けられる歯間掃除部（２１０）の形状が尖った先端部になっていて、その内側は本体と同じ太さで非常に短くて、これを歯間に深く差し込むと太い本体部分が挿入され歯茎を傷つけたり歯間を空けたりするなど、その使用に不便の伴う問題点があった。
【０００３】
一方、上記のような通常の棒状爪楊枝（２００）の使用上の問題点を解決するため、図４に示すように、歯間掃除部（２１０）を平たく設けて側面に多数の突起が形成された爪楊枝（２００）が日本公開特許公報平成１０年第５２５０号に記載されている。  
しかし、上記のような日本公開特許公報平成１０年第５２５０号の爪楊枝（２００）は歯間掃除部（２１０）の棒状になっているものではなく、平たくて通常爪楊枝（２００）の本体の太さと同じ幅に設けられていて、使用するときに歯茎を傷つける問題点があった。  
また、上記歯間掃除部（２１０）に引出部が一緒に形成されていて狭い歯間をほじくりにくいし、広い歯間につまった食物の糟を除去する時には歯間掃除部が簡単に曲がって使用しやすくない問題点があった。
【発明の概要】
【発明が解決しようとする課題】
【０００４】
従って、本発明は、上述したような従来の爪楊枝は、端部が単に尖って形成されているだけで、それを使う時に本体の太さのため歯茎を損傷したり歯間を空けたりする問題点と、歯間掃除部が平たくて一定の幅で形成されていて、それを使う時に歯茎を損傷し、広い歯間には使用できない問題点が解決できるようにしたものである。
【課題を解決するための手段】
【０００５】
即ち、本発明は爪楊枝において、一側に本体の太さより細長くなって歯間に差し込めるようにした細い歯間掃除部を設け、反対側には本体と同じ太さの引出部をもつ太い歯間掃除部を設けたものである。
【発明の効果】
【０００６】
従って、本発明は爪楊枝の一側に細長めの細い歯間掃除部を設けることによって、歯間をほじくる時に歯茎の損傷が防止され、細い歯間掃除部が細長くて歯間に十分に差し込まれて歯間につまった食物の糟が容易に除去でき、細い歯間掃除部の反対側には引出部を持つ太い歯間掃除部を設けることによって広い歯間につまった食物の糟が効果的に除去できることである。
【図面の簡単な説明】
【０００７】
【図１】本発明に従う一実施例の斜視図である。
【図２】本発明に従う他の一実施例の斜視図である。
【図３】従来の爪楊枝の斜視図である。
【図４】従来の爪楊枝の他の例の斜視図である。
【発明を実施するための形態】
【０００８】
以下、添付されている図面によって詳しく説明すると、次のようである。  
本発明は、爪楊枝を設けることにおいて、それを使う時に歯茎を損傷せず、歯間が空くことを避けようとしたものである。
【０００９】
即ち、本発明は図１に示すように、爪楊枝において、本体（１１０）の一側に本体（１１０）の太さより細長くなって歯間に差し込めるようにした細い歯間掃除部（１２０）を設け、反対側の端部に本体（１１０）と同じ太さの引出部（１３１）を持つ太い歯間掃除部（１３０）を設けたことである。
【００１０】
ここで、上記細い歯間掃除部（１２０）は、太さ１．５〜３ｍｍの本体（１１０）より細い０．５〜１ｍｍの太さで設けられ、全体長さ５〜８ｃｍの爪楊枝の２５〜６０％の長さを持つ細い棒体部（１２１）と、上記細い棒体部（１２１）の端部に歯間へ容易に挿入できるよう尖って設けた細い先端部（１２２）で構成されたものである。
【００１１】
そして、上記太い歯間掃除部（１３０）は歯間の間隔が広くて肉又は繊維質の食べ物のような食物の糟がつまった場合、これが除去できるよう端部の内側へ外面に凹状に形成した引出部（１３１）を設け、上記引出部（１３１）から端部に向けて尖って形成した太い先端部（１３２）を設けたものである。
【００１２】
ここで、爪楊枝はそれを使う時において、つばの水分によりその柔軟性が増大されるよう、木材の中で水分吸収によって柔軟性を持つ白樺で形成するのが好ましい。
【００１３】
一方、上記太い歯間掃除部（１３０）の引出部（１３１）は螺旋の凹状に形成するのが好ましい。
【００１４】
また、本発明において、図２に示すように細い歯間掃除部（１２０）にペパーミントの香りのような口臭除去剤を含浸、又は塗布した口臭除去部（１４０）を形成して実施できることである。
【００１５】
以下、本発明の製造及び使用過程について説明すると、次のようである。  
上述したように、爪楊枝において、本体（１１０）の一側に本体（１１０）の太さより細長くなって歯間に差し込めるようにした細い歯間掃除部（１２０）を設け、反対側の端部に本体（１１０）と同じ太さの引出部（１３１）を持つ太い歯間掃除部（１３０）を設け、上記細い歯間掃除部（１２０）は、太さ１．５〜３ｍｍの本体（１１０）より細い０．５〜１ｍｍの太さで設けられ、全体長さ５〜８ｃｍの爪楊枝の２５〜６０％の長さを持つ細い棒体部（１２１）と、上記細い棒体部（１２１）の端部に歯間へ容易に挿入できるよう尖って設けた細い先端部（１２２）で構成され、上記太い歯間掃除部（１３０）は歯間の間隔が広くて肉又は繊維質の食べ物のような食物の糟がつまった場合、これが除去できるよう端部の内側へ外面に凹部に形成した引出部（１３１）を設け、上記引出部（１３１）から端部に向けて尖って形成した太い先端部（１３２）を設けた本発明は、その製造する時に木材で製作する場合太さ１．５〜３ｍｍの棒状本体（１１０）を加工する。
【００１６】
そして、本体（１１０）の一側に本体の太さより細い０．５〜１ｍｍの太さと３ｃｍ内外の長さで切削した細い棒体部（１２１）を形成した後、その端部に尖って加工した細い先端部（１２２）を設けた細い歯間掃除部（１２０）を形成する。
【００１７】
上記の過程を通して形成された細い歯間掃除部（１２０）の反対側に端部の尖っている太い先端部（１３２）を設け、上記太い先端部（１３２）の内側の外面に凹状の引出部（１３１）を加工形成して太い歯間掃除部（１３０）を形成することにより、本発明に従う爪楊枝の製造が完了されることである。
【００１８】
以上のような方法を通して製造された本発明を使用しようとする場合は、本体（１１０）部分を握って細い歯間掃除部（１２０）を歯間に差し込むことになると、歯間のつばにより細い歯間掃除部（１２０）が浸透圧によって水分が吸収されて弾力性を持ちながらスムーズに挿入され、歯間につまった食物の糟を除去することになる。
【００１９】
一方、歯間が広くて食物の糟がたくさんつまった場合には、引出部（１３１）の設けられている太い歯間掃除部（１３０）を歯間に差し込んで回転させることにより、歯間につまった食物の糟が巻きついて引出すことになって、歯茎を傷つけず歯間につまった食物の糟が除去できるようになるのである。
【００２０】
また、本発明の使用において、細い歯間掃除部（１２０）に歯茎軟膏を塗布してから、歯間の歯茎に塗り付けることで、歯茎の健康を増進させる。
【００２１】
また、本発明の使用において、細い歯間掃除部（１２０）に口臭除去剤を含浸、又は、塗布して口臭除去部（１４０）を形成することで、その使用後、食物の糟と口臭がともに除去されることである。
【産業上の利用可能性】
【００２２】
従って、本発明は爪楊枝の一側に細長めの歯間掃除部を設けることによって、歯間をほじくる時に歯茎の損傷が防止されるものである。  
そして、細い歯間掃除部が細長くて歯間に十分に差し込まれ、歯間につまった食物の糟が容易に除去できるものである。  
また、細い歯間掃除部の反対側には引出部を持つ太い歯間掃除部を設けることによって、広い歯間につまった食物の糟が効果的に除去できるものである。
【符号の説明】
【００２３】
１１０：本体
１２０：細い歯間掃除部
１２１：細い棒体部
１２２：細い先端部
１３０：太い歯間掃除部
１３１：引出部
１３２：太い先端部
１４０：口臭除去部
【図１】
2011520546.tif 000003
【図２】
2011520546.tif 000004
【図３】
2011520546.tif 000005
【図４】
2011520546.tif 000006
【国際調査報告】
2011520546.tif 000007
2011520546.tif 000008